(57)【要約】【課題】ファンの交換回数を低減し、さらに、ファン故障による運転停止を避ける。【解決手段】エレベータ制御装置１は、送風用の複数のファン３と、複数のファン３に電力を供給するファン制御部４とを備え、ファン制御部４は、複数のファン３の個々の電圧を検出する検出部４ｂを有しており、複数のファン３のうちの一部のファン３を停止させ、停止させたファン３の発電電圧を検出部４ｂにより検出し、検出した発電電圧に基づいて、停止させたファン３の劣化状態を判定する。【選択図】図１
2011195273.tif 000002
【特許請求の範囲】
【請求項１】
送風用の複数のファンと、
前記複数のファンに電力を供給するファン制御部と、
を備え、
前記ファン制御部は、前記複数のファンの個々の電圧を検出する検出部を有しており、前記複数のファンのうちの一部のファンを停止させ、停止させた前記ファンの発電電圧を前記検出部により検出し、検出した前記発電電圧に基づいて、停止させた前記ファンの劣化状態を判定することを特徴とするエレベータ制御装置。
【請求項２】
送風用のファンと、
前記ファンに電力を供給するファン制御部と、
を備え、
前記ファン制御部は、前記ファンの電圧又は電流を検出する検出部を有しており、前記検出部により検出した前記電圧又は電流に基づいて、前記ファンの劣化状態を判定することを特徴とするエレベータ制御装置。
【請求項３】
前記ファンにより風が送られる放熱器をさらに備え、
前記ファン制御部は、前記複数のファンの全てが同じ劣化状態にあるか否かを判定し、前記複数のファンの全てが同じ劣化状態にあると判定した場合、前記放熱器の目詰まりが発生したと判断することを特徴とする請求項１記載のエレベータ制御装置。
【請求項４】
前記ファン制御部は、判定した前記ファンの劣化状態に応じて、前記ファンの回転速度を制御することを特徴とする請求項１、２又は３記載のエレベータ制御装置。
【請求項５】
前記ファン制御部は、判定した前記ファンの劣化状態から前記ファンの余寿命を求めて報知することを特徴とする請求項１、２、３又は４記載のエレベータ制御装置。
【発明の詳細な説明】
【技術分野】
【０００１】
本発明は、エレベータ制御装置に関し、例えば、ファンを制御するエレベータ制御装置に関する。
【背景技術】
【０００２】
エレベータ装置は、乗客や荷物などが積載された乗りかごを巻上機により目的階まで移動させる装置である。このエレベータ装置には、巻上機をドライブする電力変換器内の熱源（例えば電力素子）を冷却するファンが設置されている。このファンは寿命品であり、一定の稼動年数経過後、あるいは、ファン故障時に部品交換が行われる。特許文献１には、ファンの寿命を改善する技術が提案されている。
【先行技術文献】
【特許文献】
【０００３】
【特許文献１】特開２００２−１０１６６８号公報
【発明の概要】
【発明が解決しようとする課題】
【０００４】
しかしながら、特許文献１の技術を用いてファンの寿命が改善されたとしても、やはり一定の稼動年数経過後にファンを交換する必要がある。このため、交換時まだ寿命が来ていないファンを交換することもあり、この場合には、無駄な交換を行っていることになる。また、一定の稼動年数に到達する前にファンが故障することもあり、この場合には、定期交換以外にも、エレベータの運転を停止させる必要が生じてしまう。
【０００５】
本発明は上記に鑑みてなされたものであり、その目的は、ファンの交換回数を低減することができ、さらに、ファン故障による運転停止を避けることができるエレベータ制御装置を提供することである。
【課題を解決するための手段】
【０００６】
本発明の実施の形態に係る第１の特徴は、エレベータ制御装置において、送風用の複数のファンと、複数のファンに電力を供給するファン制御部とを備え、ファン制御部は、複数のファンの個々の電圧を検出する検出部を有しており、複数のファンのうちの一部のファンを停止させ、停止させたファンの発電電圧を検出部により検出し、検出した発電電圧に基づいて、停止させたファンの劣化状態を判定することである。
【０００７】
本発明の実施の形態に係る第２の特徴は、エレベータ制御装置において、送風用のファンと、ファンに電力を供給するファン制御部とを備え、ファン制御部は、ファンの電圧又は電流を検出する検出部を有しており、検出部により検出した電圧又は電流に基づいて、ファンの劣化状態を判定することである。
【発明の効果】
【０００８】
本発明によれば、ファンの交換回数を低減することができ、さらに、ファン故障による運転停止を避けることができる。
【図面の簡単な説明】
【０００９】
【図１】本発明の実施の形態に係るエレベータ制御装置の概略構成を示す模式図である。
【発明を実施するための形態】
【００１０】
本発明の実施の形態について図面を参照して説明する。
【００１１】
図１に示すように、本発明の実施の形態に係るエレベータ制御装置１は、エレベータの巻上機を駆動するための電力変換器２と、その電力変換器２を冷却する複数（図１では２つ）の冷却ファン３と、それらの冷却ファン３を制御するファン制御部４とを備えている。このエレベータ制御装置１は、エレベータの乗りかごが昇降する昇降路内あるいはその昇降路上部の機械室などに設けられている。
【００１２】
電力変換器２は、エレベータの乗りかごを昇降させる巻上機の駆動モータに電力を供給する。この電力変換器２は、交流電力を直流電力に変換するコンバータや直流電力を交流電力に変換するインバータなどの各種の電力素子２ａを有している。この熱源となる電力素子２ａには、放熱用の放熱器２ｂが設けられている。
【００１３】
放熱器２ｂは、電力素子２ａに取り付けられた放熱板（ベース板）と、その放熱板に設けられた複数の放熱フィンを有している。この放熱器２ｂは電力素子２ａに接触させて設けられており、電力素子２ａにより発生した熱を放熱板及び各放熱フィンを介して放出する。
【００１４】
冷却ファン３は、放熱器２ｂに風を供給してその放熱器２ｂを冷却する送風機である。したがって、冷却ファン３は放熱器２ｂの各放熱フィンに風を供給可能な位置に設けられる。図１では、冷却ファン３は、放熱器２ｂの各放熱フィンに直接風を当てる位置に設けられている。この他にも、例えば、冷却ファン３により吸気される風が放熱器２ｂの各放熱フィンを通過するように冷却ファン３が設けられてもよい。
【００１５】
ファン制御部４は、各冷却ファン３に電力（駆動電圧）を供給するファン電源４ａと、各冷却ファン３の電圧又は電流を検出する検出部４ｂと、その検出部４ｂによる検出結果に応じて冷却ファン３の劣化を判定する判定部４ｃとを備えている。
【００１６】
このファン制御部４は、冷却ファン３の劣化状態を診断する第１の診断モードと第２の診断モードとを有している。これらの診断モードはエレベータの運転状態に応じて切り替えられる。このエレベータの運転状態は、エレベータの全般の制御を行う主制御部であるエレベータ制御装置１により把握されており、その情報はファン制御部４にも与えられる。そのファン制御部４を構成する判定部４ｃが診断モードを切り替えて、切り替えた診断モード（第１の診断モードあるいは第２の診断モード）に基づいて冷却ファン３の劣化を判定する。
【００１７】
第１の診断モードでは、エレベータ停止中あるいは電力変換器２に対する負荷が低い場合（例えば、乗りかごの昇降がない状態）、各冷却ファン３のうちの一つの冷却ファン３を停止し、その停止状態の冷却ファン３を他の非停止状態の冷却ファン３による風圧により回転させる。このとき、ファン制御部４は、風圧により回転している冷却ファン３の発電電圧を検出部４ｂにより検出し、判定部４ｃにより過去の電圧（例えば、新品時の冷却ファン３の発電電圧）と比較し、冷却ファン３の劣化を判定する。
【００１８】
ここで、例えば、風圧により回転している冷却ファン３の発電電圧が過去の電圧よりも低い場合には、その冷却ファン３が劣化していると判定する。あるいは、風圧により回転している冷却ファン３の発電電圧が所定の閾値（例えば許容値）よりも低い場合には、その冷却ファン３が劣化していると判定する。
【００１９】
第２の診断モードでは、検出部４ｂによりファン通電中の各冷却ファン３の電圧あるいは電流を検出し、判定部４ｃにより冷却ファン３の回転数（回転速度）を推定して冷却ファン３の劣化を判定する。例えば、冷却ファン３の電圧あるいは電流が所定の閾値より小さい場合には、回転速度が許容値より低下しており、その冷却ファン３が劣化していると判定する。
【００２０】
なお、全ての冷却ファン３が同一レベルで低下している場合、判定部４ｃは、放熱器２ｂの目詰まりが発生したと判定する。各冷却ファン３の劣化状態（劣化レベル）は、判定部４ｃによる判定の度にその判定部４ｃが備える記憶部に保存される。冷却ファン３により埃が放熱器２ｂの各放熱フィンに取り込まれ、最終的に目詰まりが発生することがあるため、前述のように放熱器２ｂの目詰まりの発生を検知することで、放熱器２ｂの清掃時期や交換時期を報知することができる。
【００２１】
また、判定部４ｃにより冷却ファン３が劣化していると判定した場合、ファン制御部４は、冷却性能に影響が無い範囲でファン電源４ａの駆動電圧を下げて運転を行う。これにより、冷却ファン３の寿命を延ばすことができる。また、ファン制御部４は、冷却ファン３の余寿命を表示あるいは発報する。この余寿命を算出する場合には、エレベータの稼働頻度や電力変換器への通電状況（エレベータの運転状態）などから冷却ファン３の周囲温度を推定し、冷却ファン３の寿命算出に盛り込む。
【００２２】
以上説明したように、本発明の実施の形態によれば、複数の冷却ファン３のうちの一部の冷却ファン３を停止させ、停止させた冷却ファン３の発電電圧を検出部４ｂにより検出し、検出した発電電圧に基づいて、停止させた冷却ファン３の劣化状態を判定することによって、冷却ファン３の正確な寿命を把握することが可能となり、適正な時期で冷却ファン３を交換することができる。さらに、冷却ファン３が故障する前に冷却ファン３を交換することが可能となり、故障した冷却ファン３の交換のためにエレベータの運転が停止することを抑止することができる。このように、冷却ファン３の交換回数を低減することができ、さらに、冷却ファン３の故障による運転停止を避けることができる。
【００２３】
また、冷却ファン３の通電中、検出部４ｂにより検出した電圧又は電流に基づいて、冷却ファン３の劣化状態を判定することによって、前述と同様、冷却ファン３の正確な寿命を把握することが可能となり、適正な時期で冷却ファン３を交換することができる。さらに、冷却ファン３が故障する前に冷却ファン３を交換することが可能となり、故障した冷却ファン３の交換のためにエレベータの運転が停止することを抑止することができる。
【００２４】
また、ファン制御部４は、複数の冷却ファン３の全てが同じ劣化状態にあるか否かを判定し、それらの冷却ファン３の全てが同じ劣化状態にあると判定した場合、放熱器２ｂの目詰まりが発生したと判断することから、冷却ファン３の劣化状態から放熱器２ｂの目詰まりを検知することが可能となり、その結果、放熱器２ｂの目詰まりに起因する放熱性能の低下を防止することができる。
【００２５】
また、ファン制御部４は、判定した冷却ファン３の劣化状態に応じて、冷却ファン３の回転速度を制御することから、判定部４ｃにより冷却ファン３が劣化していると判定した場合、冷却性能に影響が無い範囲でファン電源４ａの駆動電圧を下げることが可能となり、冷却ファン３の寿命を延ばすことができる。
【００２６】
また、ファン制御部４は、判定した冷却ファン３の劣化状態から冷却ファン３の余寿命を求めて報知することから、正確な余寿命を求めることが可能となり、冷却ファン３の正確な交換時期を把握することができる。このとき、ファン制御部４は、エレベータの運転状態に応じて冷却ファン３の周囲温度を推定し、推定した周囲温度を用いることから、冷却ファン３のより正確な余寿命を得ることができる。
【００２７】
なお、本発明は、前述の実施の形態に限るものではなく、その要旨を逸脱しない範囲において種々変更可能である。例えば、前述の実施の形態に示される全構成要素から幾つかの構成要素を削除してもよく、さらに、異なる実施の形態に亘る構成要素を適宜組み合わせてもよい。また、エレベータ制御装置１を構成する各部はハードウェアだけで実現されてもよく、あるいは、その一部がソフトウェアであるプログラムが実行されることによって実現されてもよい。
【符号の説明】
【００２８】
１    エレベータ制御装置
２ｂ  放熱器
３    冷却ファン（ファン）
４    ファン制御部
４ｂ  検出部
【図１】
2011195273.tif 000003